(57)【要約】【課題】薬剤の揮散量を一時的に増加させるとともに揮散量をコントロールすることができる揮散装置を提供する。【解決手段】本発明の揮散装置１０は、揮発性を有する薬剤Ｙを収容した容器３と、容器３を引き下げることで伸び且つ伸びた状態から容器３を離すことで縮む弾性部材を用いて容器３を吊り下げる吊り下げ部１と、弾性部材が伸びた状態から縮んで容器３が上昇するとき、この上昇する動きを当該容器３を回転させる動きに変える回転羽根２と、を有する。【選択図】図１
2019037310.tif 000002
【特許請求の範囲】
【請求項１】
揮発性を有する薬剤を保持した揮散部と、
前記揮散部を引き下げることで伸び且つ伸びた状態から前記揮散部を離すことで縮む弾性部材を用いて前記揮散部を吊り下げる吊り下げ部と、
前記弾性部材が伸びた状態から縮んで前記揮散部が上昇するとき、この上昇する動きを当該揮散部を回転させる動きに変える動作変換部と、
を有する揮散装置。
【請求項２】
前記揮散部は、揮散孔を有するとともに前記薬剤を収容した容器を有し、
前記動作変換部は、前記容器の上昇により生じる空気の流れを利用して前記容器を回転させる回転体を有する、
請求項１の揮散装置。
【請求項３】
前記揮散部は、揮散孔を有するとともに前記薬剤を収容した容器を有し、
前記動作変換部は、前記容器の上昇により生じる空気の流れを受けて当該容器を回転させる当該容器に固設した羽根を有する、
請求項１の揮散装置。
【請求項４】
前記揮散部は、揮散孔を有するとともに前記薬剤を収容した容器を有し、
前記揮散孔は、前記容器の周壁に設けられている、
請求項１の揮散装置。
【請求項５】
前記揮散部は、揮散孔を有するとともに前記薬剤を収容した容器を有し、
前記揮散孔は、前記容器の上端に設けられている、
請求項１の揮散装置。
【請求項６】
前記揮散部は、前記吊り下げ部の下端に回転可能に取り付けられている、
請求項１の揮散装置。
【発明の詳細な説明】
【技術分野】
【０００１】
本発明は、例えば、芳香剤などの揮発性を有する薬剤を揮散させる揮散装置に関する。
【背景技術】
【０００２】
従来、芳香剤を揮散させる揮散装置として、例えば、芳香剤を収容した容器を板バネにより揺動可能に支持した揮散装置が知られている。例えば、特許文献１の揮散装置は、板バネを介して自動車などの移動体に取り付けられ、揺動方向に開口した揮散孔を介して芳香剤を揮散させる。
【０００３】
よって、この従来の揮散装置では、移動体から伝わる振動によって容器が揺動された際に、揮散孔を介して空気が流入し、芳香剤の揮散効率が上がる。例えば、この揮散装置を自動車に取り付けた場合、走行中の振動により芳香剤の揮散量が多くなり、わざわざ揮散装置を振動させる必要がない。
【先行技術文献】
【特許文献】
【０００４】
【特許文献１】特開２０００−１８９５０２号公報
【発明の概要】
【発明が解決しようとする課題】
【０００５】
しかし、上述した特許文献１の揮散装置を、例えば玄関などに設置すると、来客時などに芳香剤の揮散効率を一時的に高めるため、容器を押してわざわざ揺動させる必要がある。また、この場合、揺動による芳香剤の揮散量の増加度合いは比較的小さく、自動車の室内に比べて広い空間を有する玄関では、あまり効果が期待できない。
【０００６】
本発明は、上記の点に鑑みてなされたもので、薬剤の揮散量を一時的に増加させるとともに揮散量をコントロールすることができる揮散装置を提供することを目的とする。
【課題を解決するための手段】
【０００７】
本発明の揮散装置の一態様は、揮発性を有する薬剤を保持した揮散部と、揮散部を引き下げることで伸び且つ伸びた状態から揮散部を離すことで縮む弾性部材を用いて揮散部を吊り下げる吊り下げ部と、弾性部材が伸びた状態から縮んで揮散部が上昇するとき、この上昇する動きを当該揮散部を回転させる動きに変える動作変換部と、を有する。
【発明の効果】
【０００８】
本発明の揮散装置の一態様によれば、薬剤の揮散量を一時的に増加させるとともに揮散量をコントロールすることができる。
【図面の簡単な説明】
【０００９】
【図１】図１は、第１の実施形態に係る揮散装置を示す外観斜視図である。
【図２】図２は、第２の実施形態に係る揮散装置を示す外観斜視図である。
【発明を実施するための形態】
【００１０】
以下、本発明の実施形態について図面を参照して説明する。  
（第１の実施形態）
図１に示すように、第１の実施形態の揮散装置１０は、吊り下げ部１、吊り下げ部１の下端に固定した回転羽根２（回転体）、および回転羽根２を一体に連結した容器３を有する。吊り下げ部１は、例えば、上下に伸縮可能なゴム紐などの弾性部材により形成され、回転羽根２および容器３を吊り下げ支持する。回転羽根２は、容器３の上昇により生じる空気の流れを利用して容器３を回転させる動作変換部として機能する。本実施形態では、回転羽根２の回転軸は、吊り下げ部１に沿った上下方向に延設されている。容器３は、揮発性を有する芳香剤などの薬剤Ｙを収容している。薬剤Ｙを収容した容器３は、揮散部３’として機能する。
【００１１】
吊り下げ部１は、コイルバネなど他の弾性部材であってもよく、吊り下げた容器３（揮散部３’）を引き下げることで伸び且つ伸びた状態から容器３を離すことで元の状態に縮むものであればいかなるものであってもよい。例えば、吊り下げ部１は、ゴムばね、巻ばね、引きばねなどを使用することができ、その材質は、金属、合成樹脂、ゴム、繊維素材などを用いることができる。また、吊り下げ部１は、その少なくとも一部が弾性部材であればよく、例えば渦巻ばねを用いてケース内に収容可能な伸縮しない線材などを含んでもよい。
【００１２】
吊り下げ部１の上端は、図示しない取付具などを介して図示しない建具などに固定される。吊り下げ部１の下端には、回転羽根２および容器３が取り付けられている。回転羽根２および容器３は、吊り下げ部１の下端に対して回転自在に取り付けられてもよい。吊り下げ部１が捩れにより回転羽根２および容器３の回転を許容するものであれば、本実施形態のように、回転羽根２および容器３を吊り下げ部１の下端に固定してもよい。
【００１３】
吊り下げ部１は、回転羽根２および揮散部３’（薬剤Ｙを収容した状態の容器３）を吊り下げた状態で、回転羽根２および揮散部３’の自重だけではほとんど伸びないばね定数を有するものであることが望ましい。これにより、利用者が吊り下げ部１を伸ばして手を離したときに回転羽根２および揮散部３’が上昇する距離をできるだけ長くすることができる。
【００１４】
回転羽根２は、その回転軸が上下に沿う向きで吊り下げ部１の下端に取り付けられている。回転羽根２は、回転軸を中心に複数枚のプロペラ２ａを放射状に有する。このため、回転羽根２は、その回転軸方向に移動することで発生する空気の流れ（風）により回転する。より具体的には、回転羽根２が上昇すると、複数枚のプロペラ２ａの間を空気が軸方向に通り抜け、その際に各プロペラ２ａに作用する空気圧によって回転羽根２を回転させる。このため、回転羽根２と容器３の間には、空気をスムーズに流通させるための隙間が設けられている。なお、回転羽根２の構造は図示のものに限定されることはなく、回転羽根２の上昇によって回転するものであればいかなる構造であってもよい。
【００１５】
回転羽根２は、複数枚のプロペラ２ａの先端をつないだ円環状のリング２ｂを有する。リング２ｂは、複数枚のプロペラ２ａと一体に形成される。リング２ｂには、容器３の上端縁３ｂに嵌合する一対の支持片２ｃが一体に設けられている。２つの支持片２ｃは、回転軸を中心にして反対側に対向して配置されている。支持片２ｃのリング２ｂから離間した端部には、容器３の上端縁３ｂに嵌合する嵌合爪２ｄが設けられている。このため、回転羽根２は、容器３に対して着脱自在に固定される。
【００１６】
容器３は、例えば、上端が開放した有底の円筒体であり、その周壁３ａに複数の揮散孔４を有する。容器３の開放した上端も揮散孔４として機能する。揮散孔４の位置、形状、数などは任意に設定可能である。容器３の上端縁３ｂは、支持片２ｃの嵌合爪２ｄが嵌合可能な形状、本実施形態では断面円形に形成されている。回転羽根２を容器３の上端縁３ｂに取り付ける場合、２つの支持片２ｃの嵌合爪２ｄ内に上端縁３ｂを押し込んで嵌合させる。
【００１７】
容器３は、揮発性を有する薬剤Ｙを収容している。薬剤Ｙは、例えば、固形、ジェル状、ゲル状、液状であり、容器３の回転によって揮散孔４から飛び散ることのない状態で容器３内に収容配置される。
【００１８】
容器３は、例えば、樹脂製であり、内部に薬剤Ｙを収容可能な空間を有するものであればいかなる形状のものであってもよい。容器３の材質も樹脂に限定されるものではなく、金属製などであってもよい。例えば、木材などの天然素材やガラスや紙などにより容器３を形成してもよい。特に、汎用プラスティックを使用すると、成型の自由度が高く、装飾性が高く、量産が可能で経済的である。容器３の構造としては、キャップとボトルを組み合わせた容器、１ピースからなる一体型の容器、ヒンジで折り曲げて嵌合する容器、平面状の素材を折り畳んで組み立てる容器など、いかなる構造であってもよい。
【００１９】
また、本実施形態の揮散装置１０は、容器３を吊り下げる構造を有するため、容器３を平らな台などに載置する必要がなく、容器３の底を平らにする必要もない。よって、例えば、図示しないティアドロップ形の容器を吊り下げ部１の下端に取り付けることもでき、容器３の底に揮散孔４を設けることもできる。容器３の底に揮散孔４を設ける場合、薬剤Ｙは、ゲル状もしくは固形のものを用いる必要がある。
【００２０】
以下、上述した揮散装置１０の使用方法について説明する。  
揮散装置１０の薬剤Ｙの揮散効率を一時的に高めようとした場合、利用者は、薬剤Ｙを収容した容器３を引き下げて手を離す。これにより、吊り下げ部１の復元力により、回転羽根２および容器３が上昇し、回転羽根２が回転して容器３が回転する。このとき、容器３を引き下げる距離、すなわち吊り下げ部１を引き延ばす長さに応じて容器３の回転量を変えることができる。言い換えると、容器３の引き下げ量をコントロールすることで、容器３の回転量、すなわち薬剤Ｙの揮散量をコントロールすることができる。
【００２１】
例えば、揮散装置１０を玄関などに置いて、薬剤Ｙの揮散量を比較的多くしたい場合などには、容器３を比較的長い距離で引き下げて吊り下げ部１を長く引き伸ばす。これにより、容器３の上昇距離を比較的長くすることができ、その分、容器３の回転量を多くして薬剤Ｙの揮散量を多くすることができる。或いは、揮散装置１０の設置場所の下に棚などの障害物があって容器３を引き下げる距離を長くすることができない場合などには、容器３を途中まで引き下げて手を離す動作を複数回行えばよく、薬剤Ｙの揮散量を所望する量にコントロールすることができる。
【００２２】
一方、揮散装置１０を比較的狭い空間を有するトイレなどに置いて、薬剤Ｙを比較的少ない量で一時的に揮散させたい場合などには、容器３の引き下げ量を少なくして、吊り下げ部１の伸長長さを短くする。これにより、容器３の上昇距離を短くすることができ、回転羽根２を少しだけ回転させて薬剤Ｙの揮散量を少量に抑えることができる。
【００２３】
以上のように、本実施形態によると、薬剤Ｙを収容した容器３を吊り下げ部１の復元力に抗して引き下げて手を離すだけの簡単な動作により、容器３を回転させて薬剤Ｙの揮散量を一時的に増加させることができる。容器３が回転すると、周壁３ａに設けた複数の揮散孔４を介して外気が薬剤Ｙに接触しつつ流れ、揮散効率が上昇する。揮散孔４は、単位時間にできるだけ多くの外気が薬剤Ｙに触れる位置に設けることが望ましく、回転時の速度が最も速い周壁３ａに設けることが有効である。
【００２４】
また、本実施形態によると、容器３の引き下げ量、すなわち吊り下げ部１の引き伸ばし長さを調節することにより、回転羽根２の回転量をコントロールすることができ、容器３の回転量、すなわち薬剤Ｙの揮散量をコントロールすることができる。なお、薬剤Ｙを大量に揮散させたい場合には、容器３を引き下げて手を離す動作を複数回行えばよい。
【００２５】
また、本実施形態によると、薬剤Ｙを収容した容器３を吊り下げ部１によって吊り下げ支持しているため、容器３を平らな台に設置する必要がなく、容器３の形状の自由度が高い。また、このため、揮散孔４を容器３の底に設けることもでき、薬剤Ｙの揮散効率をより高めることができる。
【００２６】
なお、上述した第１の実施形態では、容器３の上端縁３ｂに支持片２ｃの嵌合爪２ｄを嵌合させて回転羽根２を容器３に固定した場合について説明したが、回転羽根２と容器３を回転可能に連結して、主に回転羽根２だけを回転させるようにしてもよい。この場合、回転羽根２の回転により生じた風が容器３の上端開口部を介して薬剤Ｙに吹き付けられて薬剤Ｙの揮散が促進される。
【００２７】
また、吊り下げ部１を引き伸ばして回転羽根２と容器３を上昇させたときに回転羽根２とともに容器３を回転させ、且つ回転羽根２が停止或いは逆方向に回転したときに容器３が空回りする機構を設けることで、上昇により回転した容器３の慣性により回転を続けるようにしてもよい。吊り下げ部１がゴム紐である場合などには、一度上昇した容器３が振動により下降する際に回転羽根２が停止或いは逆回転する可能性がある。このため、容器３を空回りさせる機構を設けて容器３の回転を続けて揮散効率の低下を抑制することが有効である。
【００２８】
また、上述した第１の実施形態のように、回転羽根２と容器３を吊り下げ部１の下端に固定した場合、回転羽根２の回転により吊り下げ部１が捩れる。この捩れは、元に戻るときに回転羽根２を逆回転させる駆動力になる。このため、回転羽根２が逆回転する際に発生する風により揮散効率が上がることが期待できる。
【００２９】
これに対し、回転羽根２と容器３を吊り下げ部１の下端に対して回転可能に取り付けると、捩じれを生じることができない吊り下げ部１を使用することができる。この場合、例えば、コイルバネや巻ばねを吊り下げ部１として使用することができる。よって、吊り下げ部１の種類によって回転羽根２および容器３を吊り下げ部１の下端に対して回転可能に取り付けてもよい。このように、吊り下げ部１の下端に回転羽根２および容器３を回転可能に取り付けることで、一旦回転した容器３が吊り下げ部１の捩れの戻り力によって減速されることがなくなり、回転の持続時間を延長することができ、その分、薬剤Ｙの揮散量をより多くすることができる。
【００３０】
（第２の実施形態）
図２に示すように、第２の実施形態に係る揮散装置２０は、容器３の周壁３ａに固定した複数枚のプロペラ５を有する。つまり、本実施形態の揮散装置２０は、回転羽根２の代りに、容器３に直にプロペラ５を設けた構造を有し、それ以外の構造は上述した第１の実施形態の揮散装置１０と略同じである。よって、ここでは、上述した第１の実施形態と同様に機能する構成要素に同一符号を付してその詳細な説明を省略する。
【００３１】
容器３は、複数の揮散孔４を有する円筒形の周壁３ａを有し、周壁３ａの外面から複数枚のプロペラ５を放射状に一体に突設している。各プロペラ５は、揮散孔４に干渉しない位置、例えば揮散孔４の間に設けられている。本実施形態でも、容器３の上端は開口しており、薬剤Ｙが外部に露出している。
【００３２】
しかして、容器３を引き下げて吊り下げ部１を引き伸ばし、手を離して容器３を上昇させると、容器３に固設した複数枚のプロペラ５が風を受けて回転し、プロペラ５を一体に備えた容器３を回転させる。つまり、複数枚のプロペラ５は、容器３の上昇動作を回転動作に変える動作変換部として機能する。
【００３３】
このとき、容器３の上昇によって上端開口部を介して空気が薬剤Ｙに吹き付けられるとともに、容器３の回転によって複数の揮散孔４を介して薬剤Ｙに空気が接触しつつ流れ、薬剤Ｙの揮散効率が高められる。本実施形態においても、吊り下げ部１の引き伸ばし長さを調整することで、薬剤Ｙの揮散量をコントロールすることができる。
【００３４】
以上のように、第２の実施形態によると、上述した第１の実施形態と同様の効果を奏することができ、装置構成をより簡略化することができる。
【００３５】
なお、第２の実施形態でも、プロペラ５付の容器３を吊り下げ部１の下端に回転可能に取り付けてもよく、複数枚のプロペラ５を容器３に対して回転可能に取り付けてもよい。
【００３６】
以上、いくつかの実施形態に基づいて本発明を説明したが、本発明は、上述した実施形態に限定されるものではなく、本発明の要旨の範囲内で種々の変形や応用が可能なことは勿論である。
【００３７】
例えば、上述した実施形態では、薬剤Ｙを収容した容器３の上端を開放し、周壁３ａに複数の揮散孔４を設けた場合について説明したが、これに限らず、容器３に上端壁を設けてその上端壁に揮散孔を設けてもよい。また、容器３の底壁に揮散孔４を設けてもよい。
【００３８】
また、この場合、容器３の上端開口部を介して空気を容器３内に流入させて薬剤Ｙに接触させ、周壁３ａに設けた複数の揮散孔４を介して空気を流出させるように、薬剤Ｙを収容した容器３内に空気の流路を設けてもよい。この場合、例えば、容器３の周壁３ａに設けた揮散孔４の縁に羽根を設けて、容器３の回転によって羽根を介して外気を揮散孔４内に流入させるようにしてもよい。或いは、上端開口部から流入した空気を容器３内部を通して底壁に設けた揮散孔から排気するようにしてもよい。
【００３９】
また、上述した実施形態では、揮発性を有する薬剤Ｙとして芳香剤を例にあげたが、消臭剤、抗菌剤、殺菌剤、殺虫剤などを薬剤Ｙとして容器３内に収容した使用方法も可能である。
【００４０】
また、上述した実施形態では、薬剤Ｙを収容した容器３を吊り下げる構造について説明したが、これに限らず、固形の薬剤Ｙやゲル状半固形の薬剤Ｙをそのまま吊り下げる使用方法なども可能である。この場合、揮散部３’は、薬剤Ｙそのものとなる。
【符号の説明】
【００４１】
１…吊り下げ部、  ２…回転羽根、  ２ａ…プロペラ、  ２ｃ…支持片、  ２ｄ…係合爪、  ３…容器、  ３ａ…周壁、  ３ｂ…上端縁、  ３’…揮散部、  ４…揮散孔、  ５…プロペラ、  １０、２０…揮散装置、  Ｙ…薬剤。
【図１】
2019037310.tif 000003
【図２】
2019037310.tif 000004